(57)【特許請求の範囲】
【請求項１】
排水機器の排水を処理する排水配管の配管部材において、
上方を向いた排水口１を備えた配管部材の、排水が通過する通水路を成す管体以外の部分に、配管部材の外側方向に延設されたリブ片２ａから成る支持具用保持部２を備え、
当該支持具用保持部２は、規格寸法の管体を挟持するホルダー部６ａを備えた支持具６によって支持可能な形状に構成されていることを特徴とする、排水配管の配管部材。
【請求項２】
上記支持具用保持部２のリブ片２ａを板状として複数枚備えると共に、該複数枚のリブ片２ａが軸方向視一点で交差することを特徴とする、請求項１に記載の排水配管の配管部材。
【請求項３】
上記支持具用保持部２のリブ片２ａの軸方向視端部に、位置決め用のガイド部２ｂを備えたことを特徴とする、請求項１又は請求項２に記載の排水配管の配管部材。
【請求項４】
上記配管部材が、側面方向に排水を排出する排出口３を備えると共に、
上記支持具用保持部２が、平面視、排水口１を挟んで排出口３の反対方向に配置されてなることを特徴とする、請求項１乃至請求項３のいずれか１つに記載の排水配管の配管部材。
【請求項５】
上記支持具用保持部２を備えた配管部材が、下水側からの臭気や害虫類の逆流を防止する排水トラップ４であることを特徴とする、請求項１乃至請求項４のいずれか１つに記載の排水配管の配管部材。
【請求項６】
前記排水機器の排水配管が、電気給湯機Ｈに用いられることを特徴とする前記請求項１乃至請求項５のいずれか１つに記載の排水配管の配管部材。
【発明の詳細な説明】
【技術分野】
【０００１】
本発明は洗面台、流し台、浴槽等、他にヒートポンプ式等の電気給湯機など、使用により排水を生じる機器の排水を行う排水配管の配管部材に関するものであって、更に詳しくは、特に排水口を備えた配管部材を位置決めして配置固定する、支持具用保持部を備えた配管部材に関するものである。
【背景技術】
【０００２】
従来より洗面台、流し台、浴槽等、他にヒートポンプ式等の電気給湯機など、使用により排水を生じる機器（以降、このような機器を「排水機器」と呼ぶ）には、生じた排水を下水側に排出するために、配管部材を組み合わせた排水配管が備えられる。尚、ここで言う「電気給湯器の排水」とは、
１．電気給湯器内部で冷水を温水に予備加熱等する際、水が加熱により膨張し、それに伴って貯留槽を溢れて排出される温排水
２．電気給湯器はその内部に温水を加熱状態のまま貯蓄する機器であるが、貯蓄した温水が使用されないまま長期間が過ぎると、衛生的な理由から一度貯蓄した水を排出して再度新しい水を貯蓄し直す。この衛生的な理由から使用されないまま排出された温排水
など、洗面台や流し台、浴槽などを介さず、電気給湯器から直接排出された排水である。
このような排水機器の排水を処理する排水配管に用いられる配管部材には、単純に内部に排水を通水させるためだけの筒状の管体から、排水トラップと呼ばれる、内部に封水と呼ばれる排水を溜めるなどして、下水側から臭気や害虫類が屋内側に侵入する事を防止する機能を備えてなる配管部材など、様々な配管部材が存在する。
このような配管部材を組み合わせてなる排水配管のレイアウトととしては、例えば特開２０００−２９１０９７号にあるような排水配管がある。この特開２０００−２９１０９７号にある排水配管では、フランジ部材と呼ばれる部材を用いて、排水口を備えた配管部材である排水トラップを、槽体である防水パンにつり下げ、排水トラップの排出口に筒状の管体の配管部材を接続し、更に筒状の管体の配管部材を下水側の配管に接続して排水配管を構成している。このように構成することで、槽体である防水パン上に生じた排水を、排水配管を通して下水側に排出する事ができる。
上記したように、排水配管においては、排水の流入部分である排水口を備えた配管部材から流入した排水を、排水配管を介して下水側に排出してなる。
【０００３】
これらの排水配管において、排水の処理は、上流側が高く、下流側が低くなるように配置し、排水配管に勾配を設け、この勾配により排水が下水側に流れ落ちるようにすることで行っている。このように排水配管の各部分の高さ位置を設定するために、排水配管には、例えば実開昭６３−４５２７９号で公知のような、管体の支持具が利用される。
具体的に説明すると、図２０に示したように、台座部の板部分を床面の適宜な位置に固定し、次に図２１に示したように、両端のボルト部にナット部材をそれぞれ１個づつ螺合させる。更に図２２に示したように、一枚のホルダー部の両端の挿通孔に、台座部のボルト部を挿通させる。この時、ホルダー部の円弧部分が下向きに凸となるように配置する。するとナット部材にホルダー部の挿通孔周縁が当接して係止されるため、ホルダー部に排水配管を支持させた際に排水配管が適宜な高さ位置となるように、ナット部材の螺合を調整する。
次に図２３に示したように、ホルダー部の下向きに凸となる円弧部分に排水配管の管体部分（円筒のパイプ管の部分）を支持させた上で、もう一枚のホルダー部の両端の挿通孔に、台座部のボルト部を挿通させる。この時にはホルダー部の円弧部分が上向きに凸となるようにして配置し、下側のホルダー部の円弧部分と、上側のホルダー部の円弧部分とで排水配管を挟持するようにする。更に台座部のボルト部にそれぞれナット部材を螺合させ、上下のナット部材で二枚のホルダー部を挟持するように締め付けることで、図２４に示したように、床面上の任意の場所と高さ位置に、排水配管を支持固定することができる。
また、一部の配管部材、特に内部構造が複雑になり、封水などを備えるため、重量が大きく且つもっとも上流に配置される排水トラップなどの配管部材では、特開２０００−２９１０９７号にあるように、フランジ部材を利用し排水機器につり下げるようにすることで、その重量を支えつつ、勾配を確保できる高い位置に配置を行うことができる。
【０００４】
しかしながら、近年、上記のように上端側を排水機器に取り付けて、ぶら下げるようにして配置することができないような配管レイアウトが増加している。
排水配管を上水側の配管に直接接続することは、下水側の配管が逆流した場合に上水側の配管の内部を汚染する問題などがあり、規格において禁止されている。
これに対し、例えば洗面ボウルや流し台、浴槽等の槽体では、上水側の配管を一度槽体にて開放しており、その槽体に排水口を設け、排水配管を介して下水側に排出することで規格に適合した構成としている。しかし、近年増加している、ヒートポンプ式電気給湯機など一部の排水機器では、水の利用は全て機器の内部で行われており、洗面ボウルや流し台、浴槽等のように使用時に大気開放する機会が無い。このため、これらの大気開放を行わない排水機器においては、図２５に示したように、使用した排水を単純に下方に向けた配管で大気側に排出するような構成となっている。そして、このようにして生じた排水を処理するため、図２５及び図２６に示したように、排水トラップ等、排水口を備えた配管部材を床面上に配置固定し、排水口で排水機器からの排水を受け止めて下流側の排水配管に排出する構造となっている。
【０００５】
ところで、排水配管の最も上流側に配置される、排水口を備えた配管部材のうち、下流側の端部は水平方向を向いた、管体の支持具が取り付けることができる管体形状とできる。しかし、管体の支持具は段落０００３に記載したように、単純な円筒を成す管体の形状、特に規格化されている特定の直径を有する円筒状の管体の外径の形状に合わせて構成されている。このため、上流側の端部、即ち排水口部分は、排水口の開口を上方に向けた構成としなければならない等の理由のため、管体の支持具が取り付けることができないほぼ垂直方向を向いた管体としたり、または排水トラップなど管体の支持具が取り付けることができない複雑な外径形状とする必要がある。
このため、排水トラップを含む排水口を備えた配管部材では、管体の支持具を下流側の端部、即ち他の配管部材が接続される排出口の周囲に取り付けるか、または排水口を備えた排水配管自体には管体の支持具を取り付けず、それに接続される下流側の配管部材に取り付けるしか方法が無かった。
このような方法では、排水が行われ、排水口が排水機器から勢いよく排水を直接受ける場合、配管部材が管体の支持具を起点に振動し、排水口の位置が定まらず、適切な排水が行えなくなってしまう場合がある。特に排水口を設けた配管部材ではなく、それに接続される管体の配管部材に管体の支持具を取り付けた場合、排水機器からの排水の勢いや自重、また封水の重量などを支えることができず、排水口の部分が大きく振動し、排水が散乱して周囲に排水が飛び散る、等の問題があった。
このような問題を解決するため、実開平６−６０６７１には配管の高さ位置の調整のためのネジ部材を備えた排水配管である排水トラップ（以下、「レベル調整トラップ」と呼ぶ）が提案されている。この「レベル調整トラップ」によれば、排水口を備えた配管部材である排水トラップを、床面に対して適切な高さ位置に支持することができる。
【先行技術文献】
【特許文献】
【０００６】
【特許文献１】特開２０００−２９１０９７号公報
【特許文献２】実開昭６３−４５２７９号公報
【特許文献３】実開平６−６０６７１号公報
【発明の概要】
【発明が解決しようとする課題】
【０００７】
しかしながら、このようなレベル調整トラップにおいては、下記のような問題点を有していた。
問題点１．レベル調整トラップの支持はネジ部材１点にて行うため、配管の方向に対して側面方向に加重が加えられると、配管部材が傾斜したり転倒したりする。また、床面上にネジ部材を固定する訳ではないため、前述したような、排水口を備えた配管部材が振動する、と言った問題を解決することもできない。
問題点２．排水配管のレイアウトによって、排水口を備えた配管部材が取り付けられる高さ位置はまちまちであり、必要に応じて低くしたり高くしたりする必要がある。例えばレベル調整トラップを高い位置に配置する必要がある場合に、ネジ部材の長さが短ければ、必要な高さにレベル調整トラップを配置できない場合がある。しかし、どの様な高さにも対応できるように、ネジ部材を極めて長いものにすると、逆にレベル調整トラップの上方にネジ部材の先端が突出し、他の排水機器に干渉して配管することができなくなる場合もある。何種類かの長さのネジ部材を用意すればこの問題を解決できるが、その場合、使用されなかったネジは全て無駄となる。レベル調整トラップのネジ部材は部材に付属された専用のものの為、この余ったネジ部材は他に利用することができず、全て無駄になる。また、不要なネジ部材を同梱することは当然ながら部材のコストアップを生じる。
問題点３．作業中にレベル調整トラップのネジ部材を紛失などしたり、破損してしまった場合、レベル調整トラップのネジ部材は部材に付属された専用のものの為、レベル調整トラップ全体が利用することができなくなる。
本発明は上記問題点を解消するために考案されたものであり、洗面台、流し台、浴槽等、他にヒートポンプ式電気給湯機また電気温水器など、使用により排水を生じる機器の排水を行う排水配管の内、排水口を備えた配管部材において、位置決めして配置固定を容易にする方法を提供するものである。
【課題を解決するための手段】
【０００８】
請求項１に記載の本発明は、排水機器の排水を処理する排水配管の配管部材において、
上方を向いた排水口１を備えた配管部材の、排水が通過する通水路を成す管体以外の部分に、配管部材の外側方向に延設されたリブ片２ａから成る支持具用保持部２を備え、
当該支持具用保持部２は、規格寸法の管体を挟持するホルダー部６ａを備えた支持具６によって支持可能な形状に構成されていることを特徴とする、排水配管の配管部材である。
【０００９】
請求項２に記載の本発明は、上記支持具用保持部２のリブ片２ａを板状として複数枚備えると共に、該複数枚のリブ片２ａが軸方向視一点で交差することを特徴とする、段落０００８に記載の排水配管の配管部材である。
【００１０】
請求項３に記載の本発明は、上記支持具用保持部２のリブ片２ａの軸方向視端部に、位置決め用のガイド部２ｂを備えたことを特徴とする、段落０００８又は段落０００９に記載の排水配管の配管部材である。
【００１１】
請求項４に記載の本発明は、上記配管部材が、側面方向に排水を排出する排出口３を備えると共に、上記支持具用保持部２が、平面視、排水口１を挟んで排出口３の反対方向に配置されてなることを特徴とする、段落０００８乃至段落００１０のいずれか１つに記載の排水配管の配管部材である。
【００１２】
請求項５に記載の本発明は、上記支持具用保持部２を備えた配管部材が、下水側からの臭気や害虫類の逆流を防止する排水トラップ４であることを特徴とする、段落０００８乃至段落００１１のいずれか１つに記載の排水配管の配管部材である。
【００１３】
請求項６に記載の本発明は、前記排水機器の排水配管が、電気給湯機Ｈに用いられることを特徴とする段落０００８乃至段落００１２のいずれか１つに記載の排水配管の配管部材である。
【発明の効果】
【００１４】
請求項１に記載の発明では、その軸方向視において、規格寸法の管体の外径に相当する形状を形成する、リブ片から成る支持具用保持部を備えたことで、排水口を備えた配管部材の支持固定に、一般的な管体の支持具を利用することができるようになった。このため、必要に応じて適宜な管体の支持具を別途用意すれば良いこととなり、側面方向に転倒しにくい管体の支持具や、配置する高さに併せて全高が高い管体の支持具・低い管体の支持具を適宜利用できる。また、管体の支持具は必要な数だけ用意すれば良く、また余った場合でも別の配管施工を行うときに利用すればよいので無駄が生じない。また、管体の支持具に紛失・破損等が生じても、別途管体の保持具のみ交換すれば良く、部材の無駄が少なくて済む。
請求項２に記載の発明では、複数枚のリブ片が軸方向視一点で交差することにより、リブ片からなる支持具用保持部が撓みにくくなり、排水配管の支持性能が向上する。
請求項３に記載の発明では、位置決め用のガイド部を設けたことで、管体の支持具に対して位置ずれが生じにくくすることができる。
請求項４に記載の発明では、支持具用保持部が、平面視、排水口を挟んで排出口の反対方向に配置されてなることで、支持具用保持部側と排出口側とで配管部材を支持することができ、排水口に排水が勢いよく流れ込んだ場合等でも、排水口を備えた配管部材が振動しにくく、また振動しても振り幅を小さくしたりすることができる。
上記した本発明の支持具用保持部の構成は、請求項５に記載のように、封水部に排水を溜めることで重量が大きくなり、傾斜や脱落の可能性が大きい排水トラップに特に好適に作用する。
また、上記した本発明の支持具用保持部の構成は、つり下げ式で配管部材を支持できない排水機器、たとえば請求項６に記載したヒートポンプ式電気給湯機に用いられる排水口を備えた配管部材等に好適である。
【図面の簡単な説明】
【００１５】
【図１】第一実施例の排水配管を示す参考図である。
【図２】第一実施例のエルボ管の斜視図である。
【図３】第一実施例のエルボ管の平面図である。
【図４】図３のエルボ管のＡ矢視図である。
【図５】図４のエルボ管のＢ−Ｂ断面図である。
【図６】第一実施例のエルボ管への施工手順を示す参考図である。
【図７】第一実施例のエルボ管への施工手順を示す参考図である。
【図８】第一実施例のエルボ管への施工手順を示す参考図である。
【図９】第二実施例の排水配管を示す参考図である。
【図１０】第二実施例の排水トラップの斜視図である。
【図１１】第二実施例の排水トラップの平面図である。
【図１２】図１１の排水トラップのＣ矢視図である。
【図１３】図１２の排水トラップのＤ−Ｄ断面図である。
【図１４】第二実施例の排水トラップへの施工手順を示す参考図である。
【図１５】第二実施例の排水トラップへの施工手順を示す参考図である。
【図１６】第二実施例の排水トラップへの施工手順を示す参考図である。
【図１７】他の実施例のエルボ管の、（ａ）斜視図  （ｂ）支持具用保持部の軸方向視図である。
【図１８】他の実施例のエルボ管の、（ａ）斜視図  （ｂ）支持具用保持部の軸方向視図である。
【図１９】他の実施例のエルボ管の、（ａ）斜視図  （ｂ）支持具用保持部の軸方向視図である。
【図２０】管体の支持具の施工手順を示す参考図である。
【図２１】管体の支持具の施工手順を示す参考図である。
【図２２】管体の支持具の施工手順を示す参考図である。
【図２３】管体の支持具の施工手順を示す参考図である。
【図２４】管体の支持具の施工手順を示す参考図である。
【図２５】従来の排水配管を示す参考図である。
【図２６】従来の排水トラップの施工状態を示す参考図である。
【実施例】
【００１６】
以下に、本発明の配管部材を採用した排水配管の実施例を、図面を参照しつつ説明する。
図１に示した本発明の第一実施例の排水配管は、排水機器であるヒートポンプ式電気給湯機Ｈとその排水配管を示すものであって、排水口１を備えた配管部材であるエルボ管５、同じく配管部材であるパイプ管Ｐ、曲がり継手Ｌ、及びこれらを任意の高さに支持固定する複数設けられた管体の支持具６、等の各部材より構成されてなる。以下に各部材の構造を記す。
図２乃至図５に示したエルボ管５は、円筒状の管体を９０度屈曲させた、硬質塩ビ素材などの樹脂素材からなる部材であって、上流側端部にはヒートポンプ式電気給湯機Ｈからの排水を受ける排水口１を、下流側端部にはパイプ管Ｐを接続するためのソケット部７を有した排出口３を、それぞれ設けてなる。また、排水口１の周囲に、排水を受けるための、凹状に窪みを設けた水受けパン部８を備えてなる。更に、平面視排水口１を挟んで排出口３の反対となる位置であって管体の外側面（即ち排水が通過する通水路以外の部分）に、図４に示したような、軸方向視略十字形状をなすリブ片２ａからなる支持具用保持部２を備えてなる。この支持具用保持部２はエルボ管５の樹脂と一体に成型されてなり、リブ片２ａの水平方向また垂直方向の幅は、ソケット部７に接続されるパイプ管Ｐの直径とほぼ等しい幅を形成してなる。
その結果、支持具用保持部２は、次の要件１、要件２の両方を満たし、その軸方向において、規格寸法の管体の外径に相当する形状を形成する。
要件１．図４の支持具用保持部２の軸方向視図において示したように、軸方向視支持具用保持部２が、規格寸法の管体の外周を示す仮想円に複数箇所で内接し、仮想円から突出する部分もない。
要件２．規格寸法の管体の外周を示す仮想円を、、中心を通る直径によって二等分したとき、支持具用保持部２のリブ片２ａの外周側の端部が、どの様な直径の取り方を行っても、必ず両方の領域に存在する。
また上記リブ片２ａの内、軸方向視上下方向に向いて設けられたリブ片２ａの両端（上端及び下端）には、ソケット部７に接続されるパイプ管Ｐの外径形状にほぼ等しい円弧形状を成すガイド部２ｂを形成してなる。
パイプ管Ｐは、略円筒形状に成型された、長尺の樹脂管である。
曲がり継手Ｌは、円筒状の管体を９０度屈曲させ、その両端にパイプ管Ｐを接続するためのソケット部７を備えた部材であって、硬質塩ビ等の樹脂素材からなり、排水配管を屈曲させて配置する場合に利用される。
管体の支持具６は、以下に記載したホルダー部６ａ及び台座部６ｃと、から構成されてなり、必要に応じて複数個用意される。またその種類も、高い高さ位置に配置できるものなど、必要に応じて用意するものとする。
ホルダー部６ａは金属の板材などを略Ω形状に屈曲させ、両端側に後述する台座部６ｃのボルト部６ｅを挿通する挿通孔６ｂを備えてなる。該ホルダー部６ａの中央の円弧部分の内径は、支持する管体（本実施例ではパイプ管Ｐ）の外径形とほぼ同じか若干大径に形成される。
台座部６ｃは金属製の板部分６ｄの両端近傍に垂直に立ち上がる雄ネジを設けたボルト部６ｅをそれぞれ設けた部材であって、板部分６ｄをネジ又は釘などで施工現場の任意の床面に固定できるように構成されてなる。また、上記ボルト部６ｅ分の雄ネジに螺合する雌ネジを備えたナット部材６ｆを管体の支持具６１台当たり４個ずつ備えてなる。
また上記排水配管を利用する電気給湯機Ｈは、いわゆるヒートポンプ式電気給湯器と呼ばれる電気給湯器である。これは夜間の電気代が安価な時に、内部に貯水した冷水を電気で加熱して温水化し、昼間にそのようにして用意した温水を利用する電気給湯器である。このように構成することで、リアルタイムに冷水を温水化する給湯器より安価に温水を利用する事ができる。形状としては例えば略箱体形状を有する本体部分と、該本体部分の下方に、床面上に箱体を支持する為の脚部、及び排水を排出するための吐出口Ｈ１を備えてなる。この吐出口Ｈ１から吐出される排水は、上記したように内部に冷水を貯水して、それを加熱・温水化した上で保存する構成に由来するものであり、具体的には以下の１．、２．のような理由により生じた、洗面台や流し台、浴槽などを介さない排水である。
１．電気給湯器内部で冷水を温水に予備加熱等する際、水が加熱により膨張する。この膨張の結果貯留槽に収まり切らなくなり、溢れた分の温排水。
２．貯蓄した温水が使用されないまま長期間が過ぎると、衛生的な理由から一度貯蓄した水を排出して再度新しい水を貯蓄し直す。この衛生的な理由から使用されないまま排出された温排水。
またこれらの排水配管は、配管接続部を備えた横排水主管Ｄ１に接続され、横排水主管Ｄ１に接続された縦排水主管Ｄ２から下水側に排出される。横排水主管Ｄ１及び縦排水主管Ｄ２は、排水配管の施工開始時において、既に施工が完了しているものとする。
【００１７】
上記の各部材から構成された電気給湯器の排水配管を施工する場合、
まず床面上に設置された電気給湯器の吐水口と、下水側の配管の端部の位置に併せて配管レイアウトを決定し、それに対応した長さにパイプ管Ｐを切断し、また曲がり管を用意する。次に決定した配管レイアウトに併せて、エルボ管５、パイプ管Ｐ、曲がり継手Ｌを接着にて水密的且つ固定的に接続する。この場合、接続を行う際は、エルボ管５又は曲がり継手Ｌのソケット部７に、接着剤を塗布したパイプ管Ｐを差し込み、水密的且つ固定的に接続する。特にエルボ管５は、排水口１が上方を向き、給湯器の吐水口にと向かい合う方向に接続固定する。更に排水配管の下流側端部を横排水主管Ｄ１の配管接続部に接着にて接続固定する。
このようにして各部を接続した排水配管のパイプ管Ｐ部分を、管体の支持具６にて支持固定する。具体的には、段落０００３に記載したように、台座部６ｃの板部分６ｄを床面の適宜な位置に固定し、次に両端のボルト部６ｅにナット部材６ｆをそれぞれ１個づつ螺合させる。更に一枚のホルダー部６ａの両端の挿通孔６ｂに、台座部６ｃのボルト部６ｅを挿通させる。この時、ホルダー部６ａの円弧部分が下向きに凸となるように配置する。するとナット部材６ｆにホルダー部６ａの挿通孔６ｂ周縁が当接して係止されるため、ホルダー部６ａに排水配管を支持させた際に排水配管が適宜な高さ位置となるように、ナット部材６ｆの螺合を調整する。
次にホルダー部６ａの下向きに凸となる円弧部分に排水配管の管体部分（円筒のパイプ管Ｐの部分）を支持させた上で、もう一枚のホルダー部６ａの両端の挿通孔６ｂに、台座部６ｃのボルト部６ｅを挿通させる。この時にはホルダー部６ａの円弧部分が上向きに凸となるようにして配置し、下側のホルダー部６ａの円弧部分と、上側のホルダー部６ａの円弧部分とで排水配管を挟持するようにする。更に台座部６ｃのボルト部６ｅにそれぞれナット部材６ｆを螺合させ、上下のナット部材６ｆで二枚のホルダー部６ａを挟持するように締め付けることで、床面上の任意の場所と高さ位置に、排水配管を支持固定することができる。
同様の方法で、１メートル乃至２メートル間隔にて排水配管の複数箇所を管体の支持具６により支持固定し、排水配管全体に、排水口１から横排水主管Ｄ１に向かって１／５０程度の適切な下り勾配となるような傾斜を設定して配管固定する。
更に、エルボ管５の支持具用保持部２をパイプ管Ｐの代わりとして、管体の支持具６にエルボ管５を支持固定させる。
具体的には、図６に示したように、台座部６ｃの板部分６ｄを床面の適宜な位置に固定し、次に両端のボルト部６ｅにナット部材６ｆをそれぞれ１個づつ螺合させる。次に、一枚のホルダー部６ａの両端の挿通孔６ｂに、台座部６ｃのボルト部６ｅを挿通させる。この時、ホルダー部６ａの円弧部分が下向きに凸となるように配置する。するとナット部材６ｆにホルダー部６ａの挿通孔６ｂ周縁が当接して係止されるため、ホルダー部６ａに排水配管を支持させた際に排水配管が適宜な高さ位置となるように、ナット部材６ｆの螺合を調整する。更に、図７に示したように、下向きに凸となったホルダー部６ａの円弧部分に、エルボ管５の支持具用保持部２を載架させる。エルボ管５の支持具用保持部２は、軸方向視略十字形状をなすリブ片２ａから構成されており、またリブ片２ａの水平方向また垂直方向の幅は、ソケット部７に接続されるパイプ管Ｐの直径とほぼ等しい幅を形成してなる。このため、ホルダー部６ａの円弧形状の部分に対して、リブ片２ａは軸方向視、規格寸法の外径を有するパイプ管Ｐと、ほぼ等しい外径を持つ管体として機能する。
更に上下方向に向いて設けられたリブ片２ａの上端及び下端には、パイプ管Ｐの外径形状にほぼ等しい円弧形状を成すガイド部２ｂを形成してなる。単純に板状のリブ片２ａの端部がホルダー部６ａの円弧部分に当接するよりも、本実施例のようにガイド部２ｂを設けてホルダー部６ａの円弧に当接するように構成した方が、円弧と円弧が合致することで好適な位置あわせを行うことができる。
この後、もう一枚のホルダー部６ａの両端の挿通孔６ｂに、台座部６ｃのボルト部６ｅを挿通させる。この時にはホルダー部６ａの円弧部分が上向きに凸となるようにして配置し、下側のホルダー部６ａの円弧部分と、上側のホルダー部６ａの円弧部分とで支持具用保持部２を挟持するようにする。更に台座部６ｃのボルト部６ｅにそれぞれナット部材６ｆを螺合させ、上下のナット部材６ｆで二枚のホルダー部６ａを挟持するように締め付けることで、図８に示したように、エルボ管５を床面上に管体の支持具６を利用して固定することができ、本発明の排水配管の施工作業が完了する。
【００１８】
上記のように施工した排水配管において、排水機器であるヒートポンプ式の電気給湯器を使用することにより、吐水口から排水が排出されると、排水は排水口１とその周囲に設けられた水受けパン部８に受け止められ、最終的には排水口１内に流れ込む。排水口１に流れ込んだ排水は、エルボ館内を通過して排出口３から排出され、排水配管のパイプ管Ｐや曲がり継手Ｌ内部を通過し、最終的には横排水主管Ｄ１から縦排水主管Ｄ２を介して下水側に排出される。
【００１９】
上記第一実施例において、ヒートポンプ式の電気給湯器を使用する際、必要に応じて吐水口から温排水が排出される。特に段落００１６の２．に記載した、衛生的な理由から使用されないまま温排水が排出される場合、ヒートポンプ式の電気給湯器の内部に溜められた、およそ２００リットル程度の大量排水が数分間程度の短時間で一気に吐水口から排出される。このため、排水口１を備えたエルボ管５には排水の加重・水圧による応力が強力に働くが、本実施例では、支持具用保持部２を備えた事で、排水口１（及び水受けパン部８）に加えられるこの排水の応力を、平面視排水口１をはさんで支持具用保持部２と排出口３近傍のパイプ管Ｐに取り付けられた管体の支持具６を利用して受け止めてなる。このため、従来例のように、排水口１を備えた配管部材であるエルボ管５がほとんど振動することなく、確実にエルボ管５を支持し、排水口１の位置を安定させて排水が飛び散ることがないようにできる。
また、本実施例では、平面視排水配管の中心軸を中心として対称形状に幅の広い（少なくとも管体よりも幅広）な台座部６ｃを有した管体の支持具６を利用してなるため、従来のレベル調整トラップを採用した排水配管のように、側面方向にエルボ管５が転倒することがない。側面方向に転倒しない、と言う効果自体は管体の支持具６の構成により生じる効果ではあるが、支持具用保持部２を備えることで、従来よりある様々な管体の支持具６の中から、側面方向に倒れにくい管体の支持具６など、目的に併せて必要な機能を有した管体の支持具６を選択できるようになった事で生じる効果でもあり、エルボ管５に支持部材用保持部を備えた事による効果であると言える。
また、同様に、支持具用保持部２を備えたことで、必要な高さに設定できる管体の支持具６を用意することが容易であったり、管体の支持具６を破損してしまっても代わりを用意することが容易で且つエルボ管５は交換しなくても良いなどの効果を得ることができる。また使用しなかった余分の管体の支持具６は別途別の配管作業を行うときに利用でき無駄がない。
【００２０】
次に、本発明の配管部材を採用した排水配管の第二実施例を、図面を参照しつつ説明する。図９に示した本発明の第二実施例の排水配管は、排水機器であるヒートポンプ式電気給湯機Ｈとその排水配管を示すものであって、図１０乃至図１３に示した排水口１を備えた配管部材である排水トラップ４、同じく配管部材であるパイプ管Ｐ、曲がり継手Ｌ、及びこれらを任意の高さに支持固定する複数設けられた管体の支持具６、等の各部材より構成されてなる。以下に各部材の構造を記す。
排水トラップ４は、ＡＢＳなどの樹脂素材からなる部材であって、トラップ本体９ｃと防臭筒部材１０と、から構成され、使用時その内部に封水と呼ばれる排水の溜まり部分を形成することで、下水側からの臭気や害虫類の逆流を防止する部材である。
トラップ本体９ｃは、有底筒状にして上方が開口し、下方に封水部９ｂを形成するトラップ本体９ｃ部と、トラップ本体９ｃ部の側面に設けられた、パイプ管Ｐを接続するためのソケット部７を有した排出口３と、該トラップ本体９ｃ部とソケット部７及び排出口３とを隔てて封水の水位を確保する封水壁９ｃと、をそれぞれ設けてなる。更に、平面視排水口１を挟んで排出口３の反対となる位置であってトラップ本体９ｃの外側面（即ち排水が通過する通水路以外の部分）に、図１２に示したような、軸方向視略十字形状をなすリブ片２ａからなる支持具用保持部２を備えてなる。この支持具用保持部２はトラップ本体９ｃの樹脂と一体に成型されてなり、リブ片２ａの水平方向また垂直方向の幅は、ソケット部７に接続されるパイプ管Ｐの直径とほぼ等しい幅を形成してなる。
その結果、支持具用保持部２は、次の要件１、要件２の両方を満たし、その軸方向において、規格寸法の管体の外径に相当する形状を形成する。
要件１．図１２の支持具用保持部２の軸方向視図において示したように、軸方向視支持具用保持部２が、規格寸法の管体の外周を示す仮想円に複数箇所で内接し、仮想円から突出する部分もない。
要件２．規格寸法の管体の外周を示す仮想円を、中心を通る直径によって二等分したとき、支持具用保持部２のリブ片２ａの外周側の端部が、どの様な直径の取り方を行っても、必ず両方の領域に存在する。
また上記リブ片２ａの内、軸方向視上下方向に向いて設けられたリブ片２ａの両端（上端及び下端）には、ソケット部７に接続されるパイプ管Ｐの外径形状にほぼ等しい円弧形状を成すガイド部２ｂを形成してなる。
防臭筒部材１０は、略円筒形状の部材であって、施工完了時、円筒部分の下端は封水部９ｂ内に配置される。また、円筒部分の上端の周縁から側面方向に向かって、施工完了時トラップ本体９ｃの上方の開口周縁と水密的に接続されるフランジ部１０ａが備えられてなり、この施工完了時、上端の開口がヒートポンプ式電気給湯機Ｈからの排水を受ける排水口１を形成する（当然ながら、排水口１は上向きに形成されてなる）。また、フランジ部１０ａはトラップ本体９ｃの開口部の上縁よりも低い高さ位置で水密的に接続されるため、排水口１の周囲に、排水を受けるための凹状の窪み部分が形成される。
パイプ管Ｐ、曲がり継手Ｌ、管体の支持具６、及びこれらによって構成される排水配管を利用するヒートポンプ式電気給湯機Ｈは、段落００１６に記載された各部材と同様に構成されてなる。
またこれらの排水配管は、やはり段落００１６と同様に、配管接続部を備えた横排水主管Ｄ１に接続され、横排水主管Ｄ１に接続された縦排水主管Ｄ２から下水側に排出される。横排水主管Ｄ１及び縦排水主管Ｄ２は、排水配管の施工開始時において、既に施工が完了しているものとする。
【００２１】
上記の各部材から構成された電気給湯器の排水配管を施工する場合、
まず床面上に設置された電気給湯器の吐水口と、下水側の配管の端部の位置に併せて配管レイアウトを決定し、それに対応した長さにパイプ管Ｐを切断し、また曲がり管を用意する。次に決定した配管レイアウトに併せて、排水トラップ４、パイプ管Ｐ、曲がり継手Ｌを接着にて水密的且つ固定的に接続する。この場合、接続を行う際は、排水トラップ４又は曲がり継手Ｌのソケット部７に、接着剤を塗布したパイプ管Ｐを差し込み、水密的且つ固定的に接続する。特に排水トラップ４は、排水配管の配置を行う前に、排水トラップ４のトラップ本体９ｃの開口に防臭筒部材１０を接続しておき、その上で排水口１が上方を向き、給湯器の吐水口にと向かい合う方向に接続固定する。更に排水配管の下流側端部を横排水主管Ｄ１の配管接続部に接着にて接続固定する。
このようにして各部を接続した排水配管のパイプ管Ｐ部分を、管体の支持具６にて支持固定する。この第二実施例におけるパイプ管Ｐに対する管体の支持具６の具体的な支持固定方法、取付間隔、勾配の設定方法などは、段落００１７に記載された第一実施例におけるパイプ管Ｐに対する管体の支持具６の具体的な支持固定方法、取付間隔、勾配の設定方法などと同様である。更に、排水トラップ４の支持具用保持部２をパイプ管Ｐの代わりとして、管体の支持具６にエルボ管５を支持固定させる。
具体的には、図１４に示したように、台座部６ｃの板部分６ｄを床面の適宜な位置に固定し、次に両端のボルト部６ｅにナット部材６ｆをそれぞれ１個づつ螺合させる。更に一枚のホルダー部６ａの両端の挿通孔６ｂに、台座部６ｃのボルト部６ｅを挿通させる。この時、ホルダー部６ａの円弧部分が下向きに凸となるように配置する。するとナット部材６ｆにホルダー部６ａの挿通孔６ｂ周縁が当接して係止されるため、ホルダー部６ａに排水配管を支持させた際に排水配管が適宜な高さ位置となるように、ナット部材６ｆの螺合を調整する。更に、図１５に示したように、下向きに凸となったホルダー部６ａの円弧部分に、排水トラップ４の支持具用保持部２を載架させる。エルボ管５の支持具用保持部２は、軸方向視略十字形状をなすリブ片２ａから構成されており、またリブ片２ａの水平方向また垂直方向の幅は、ソケット部７に接続されるパイプ管Ｐの直径とほぼ等しい幅を形成してなる。このため、ホルダー部６ａの円弧形状の部分に対して、リブ片２ａは軸方向視、規格寸法の外径を有するパイプ管Ｐと、ほぼ等しい外径を持つ管体として機能する。
更に上下方向に向いて設けられたリブ片２ａの上端及び下端には、パイプ管Ｐの外径形状にほぼ等しい円弧形状を成すガイド部２ｂを形成してなる。単純に板状のリブ片２ａの端部がホルダー部６ａの円弧部分に当接するよりも、本実施例のようにガイド部２ｂを設けてホルダー部６ａの円弧に当接するように構成した方が、円弧と円弧が合致することで好適な位置あわせを行うことができる。
この後、もう一枚のホルダー部６ａの両端の挿通孔６ｂに、台座部６ｃのボルト部６ｅを挿通させる。この時にはホルダー部６ａの円弧部分が上向きに凸となるようにして配置し、下側のホルダー部６ａの円弧部分と、上側のホルダー部６ａの円弧部分とで支持具用保持部２を挟持するようにする。更に台座部６ｃのボルト部６ｅにそれぞれナット部材６ｆを螺合させ、上下のナット部材６ｆで二枚のホルダー部６ａを挟持するように締め付けることで、図１６に示したように、排水トラップ４をエルボ管５を床面上に管体の支持具６を利用して固定することができ、本発明の排水配管の施工作業が完了する。
【００２２】
上記のように施工した排水配管において、排水機器であるヒートポンプ式の電気給湯器を使用することにより、吐水口から排水が排出されると、排水は排水口１とその周囲に設けられた排水を受けるための凹状の窪み部分に受け止められ、最終的には排水口１内に流れ込む。排水口１に流れ込んだ排水は、排水口１から防臭筒部材１０の円筒部分を通過し、トラップ本体９ｃの封水部９ｂ内に溜まって封水を形成した上で、溜まり水が封水壁９ｃ上縁を溢れ、排出口３から排出される。排出口３から排出された排水は、排水配管のパイプ管Ｐや曲がり継手Ｌ内部を通過し、最終的には横排水主管Ｄ１から縦排水主管Ｄ２を介して下水側に排出される。
また、上記のように排水が流れることで、排水トラップ４内部の封水部９ｂには封水が形成されてなる。この封水によって排水トラップ４内部の排水の流路が水封（排水の流路が排水で満水となり通気できない状態）され、下水側からの臭気や害虫類が排水口１に逆流することを防止することができる。
【００２３】
上記第二実施例において、ヒートポンプ式の電気給湯器を使用する際、必要に応じて吐水口から温排水が排出される。特に段落００１６の２．に記載した、衛生的な理由から使用されないまま温排水が排出される場合、ヒートポンプ式の電気給湯器の内部に溜められた、およそ２００リットル程度の大量排水が数分間程度の短時間で一気に吐水口から排出される。このため、排水口１を備えた排水トラップ４には排水の加重・水圧による応力が強力に働くが、本実施例では、支持具用保持部２を備えた事で、排水口１に加えられるこの排水の応力を、平面視排水口１をはさんで支持具用保持部２と排出口３近傍のパイプ管Ｐに取り付けられた管体の支持具６を利用して受け止めてなる。このため、従来例のように、排水口１を備えた配管部材である排水トラップ４がほとんど振動することなく、確実に排水トラップ４を支持し、排水口１の位置を安定させて排水が飛び散ることがないようにできる。
また、段落００２２に記載したように、排水トラップ４の内部には封水と呼ばれる排水溜まりを形成してなるため、その分恒常的に加重が加わることとなるが、この加重に対しても、平面視排水口１をはさんで支持具用保持部２と排出口３近傍のパイプ管Ｐに取り付けられた管体の支持具６を利用して支持するため、パイプ管Ｐ等に作用する応力を減少させ、管体の破損の可能性を削減することができる。
また、本実施例では、平面視排水配管の中心軸を中心として対称形状に幅の広い（少なくとも管体よりも幅広）な台座部６ｃを有した管体の支持具６を利用してなるため、従来のレベル調整トラップを採用した排水配管のように、側面方向に排水トラップ４が転倒することがない。側面方向に転倒しない、と言う効果自体は管体の支持具６の構成により生じる効果ではあるが、支持具用保持部２を備えることで、従来よりある様々な管体の支持具６の中から、側面方向に倒れにくい管体の支持具６など、目的に併せて必要な機能を有した管体の支持具６を選択できるようになった事で生じる効果でもあり、排水トラップ４に支持部材用保持部を備えた事による効果であると言える。
また、同様に、支持具用保持部２を備えたことで、必要な高さに設定できる管体の支持具６を用意することが容易であったり、管体の支持具６を破損してしまっても代わりを用意することが容易で且つ排水トラップ４は交換しなくても良いなどの効果を得ることができる。また使用しなかった余分の管体の支持具６は別途別の配管作業を行うときに利用でき無駄がない。
【００２４】
本発明の実施例は以上のようであるが、本発明は上記実施例に限定されるものではなく、主旨を変更しない範囲において自由に変更が可能である。
例えば、上記実施例では、支持具用保持部２のリブ片２ａは、支持具用保持部２の軸方向視十字形状に構成されてなるが、例えば図１７に示したように放射状形状にしたり、図１８に示したように四角形形状、また図１９に示したように三角形形状としても構わない。もちろん、図１７乃至図１９の各実施例でも、図１７乃至図１９の（ｂ）の支持具用保持部２の軸方向視図において示したように、次の要件１、要件２の両方を満たす形状に形成されている。
要件１．図１７乃至図１９の（ｂ）の支持具用保持部の軸方向視図において示したように、軸方向視支持具用保持部２が、規格寸法の管体の外周を示す仮想円に複数箇所で内接し、仮想円から突出する部分もない。
要件２．規格寸法の管体の外周を示す仮想円を、直径によって二等分したとき、支持具用保持部２のリブ片２ａの外周側の端部が、どの様な直径の取り方を行っても、必ず両方の領域に存在する。
これにより、図１７乃至図１９の各実施例でも、支持具用保持部２は、その軸方向において、規格寸法の管体の外径に相当する形状を形成する。
尚、複数のリブ片２ａを組み合わせる場合、第一実施例・第二実施例の十字形状や図１７に示した放射状形状のように、数枚のリブ片２ａが軸方向視一点で交差するように構成すると、リブ片２ａから成る支持具用保持部２が撓みにくくなり、排水配管の支持性能が向上して好適である。
【００２５】
また、上記実施例では、排水機器をヒートポンプ式給湯器としているが、本発明は上記実施例に限定されることなく、洗面台、流し台、浴室、浴槽など他の排水機器に使用してももちろん構わない。
【符号の説明】
【００２６】
１      排水口                ２      支持具用保持部
２ａ    リブ片                ２ｂ    ガイド部
３      排出口                ４      排水トラップ
５      エルボ管              ６      管体の支持具
６ａ    ホルダー部            ６ｂ    挿通孔
６ｃ    台座部                ６ｄ    板部分
６ｅ    ボルト部              ６ｆ    ナット部材
７      ソケット部            ８      水受けパン部
９ａ    トラップ本体          ９ｂ    封水部
９ｃ    封水壁                １０    防臭筒部材
１０ａ  フランジ部            Ｄ１    横排水主管
Ｄ２    縦排水主管            Ｈ      電気給湯機
Ｈ１    吐出口Ｈ              Ｏ      規格寸法の管体の外周を示す仮想円
Ｐ      パイプ管              Ｌ      曲がり継手  
【図１】
0005531231.tif 000002
【図２】
0005531231.tif 000003
【図３】
0005531231.tif 000004
【図４】
0005531231.tif 000005
【図５】
0005531231.tif 000006
【図６】
0005531231.tif 000007
【図７】
0005531231.tif 000008
【図８】
0005531231.tif 000009
【図９】
0005531231.tif 000010
【図１０】
0005531231.tif 000011
【図１１】
0005531231.tif 000012
【図１２】
0005531231.tif 000013
【図１３】
0005531231.tif 000014
【図１４】
0005531231.tif 000015
【図１５】
0005531231.tif 000016
【図１６】
0005531231.tif 000017
【図１７】
0005531231.tif 000018
【図１８】
0005531231.tif 000019
【図１９】
0005531231.tif 000020
【図２０】
0005531231.tif 000021
【図２１】
0005531231.tif 000022
【図２２】
0005531231.tif 000023
【図２３】
0005531231.tif 000024
【図２４】
0005531231.tif 000025
【図２５】
0005531231.tif 000026
【図２６】
0005531231.tif 000027